(57)【要約】【課題】分割されたデジタルビデオデータを再生する場合においてスチル再生によって得られる画像の品質を確保する上で有利なビデオ再生方法および装置を提供する。【解決手段】システムコントローラ１６は、第１、第２システム１２Ａ、１２Ｂ、ビデオデータ伝送部４０を制御することによって、一方のシステムで静止画用ビデオデータを再生させるとともに、他方のシステムがビデオデータ伝送部４０を介して受け取った静止画再生用ビデオデータを他方のシステムで再生させることにより、第１、第２システムの双方で同一の静止画用ビデオデータを同時に再生させている。【選択図】図３
2009044392.tif 000002
【特許請求の範囲】
【請求項１】
時系列的に連続するビデオデータを所定のデータ単位で分割して得られる複数の分割データを、順番に振り分けることで得られる分割ビデオデータをそれぞれ記録した第１記録媒体および第２記録媒体と、
前記第１記録媒体に記録された前記分割ビデオデータを再生する第１システムと、
前記第２記録媒体に記録された前記分割ビデオデータを再生する第２システムと、
前記第１、第２記録媒体および前記第１、第２システムを制御することにより前記分割ビデオデータの再生を行う再生制御部とを備えるビデオ再生装置であって、
前記第１システムおよび前記第２システムの間に、前記第１システムおよび前記第２システムのうちの一方のシステムで再生する分割ビデオデータから選択された静止画再生用ビデオデータを他方のシステムに伝送するビデオデータ伝送部を設け、
前記再生制御部は、前記一方のシステムで前記静止画用ビデオデータを再生させるとともに、前記他方のシステムが前記データ伝送部を介して受け取った前記静止画再生用ビデオデータを前記他方のシステムで再生させることにより、前記第１、第２システムの双方で同一の静止画用ビデオデータを同時に再生させる、
ことを特徴とするビデオ再生装置。
【請求項２】
前記第１システムは、前記第１記録媒体から読み出した分割ビデオデータを蓄積する第１バッファメモリと、前記第１バッファメモリから読み出した分割ビデオデータをデコードする第１デコーダとを含み、
前記第２システムは、前記第２記録媒体から読み出した分割ビデオデータを蓄積する第２バッファメモリと、前記第２バッファメモリから読み出した分割ビデオデータをデコードする第２デコーダとを含み、
前記データ伝送部による前記静止画用ビデオデータの伝送は、前記第１バッファメモリから読み出された前記静止画用ビデオデータを前記第２デコーダに供給すること、および、前記第２バッファメモリから読み出された前記静止画用ビデオデータを前記第１デコーダに供給することの少なくとも一方によってなされる、
ことを特徴とする請求項１記載のビデオ再生装置。
【請求項３】
前記データ伝送部のインターフェースは、ＵＡＲＴ（非同期シリアルインターフェース）である、
ことを特徴とする請求項１記載のビデオ再生装置。
【請求項４】
前記データ伝送部のインターフェースは、イーサネット（登録商標）である、
ことを特徴とする請求項１記載のビデオ再生装置。
【請求項５】
前記第１、第２記録媒体に記録される前記第１、第２ビデオデータは圧縮されており、前記第１、第２ビデオデータの圧縮はＪＰＥＧ形式でなされ、
前記所定のデータ単位はフレームである、
ことを特徴とする請求項１記載のビデオ再生装置。
【請求項６】
前記第１、第２記録媒体に記録される前記第１、第２ビデオデータは圧縮されており、前記第１、第２ビデオデータの圧縮はＭＰＥＧ２形式でなされ、
前記最小単位はＧＯＰ（Group Of Picture）である、
ことを特徴とする請求項１記載のビデオ再生装置。
【請求項７】
前記第１、第２記録媒体はディスク状記録媒体である、
ことを特徴とする請求項１記載のビデオ再生装置。
【請求項８】
前記第１、第２記録媒体はハードディスク装置である、
ことを特徴とする請求項１記載のビデオ再生装置。
【請求項９】
前記第１、第２記録媒体は半導体メモリである、
ことを特徴とする請求項１記載のビデオ再生装置。
【請求項１０】
時系列的に連続するビデオデータを所定のデータ単位で分割して得られる複数の分割データを、順番に振り分けることで得られる分割ビデオデータをそれぞれ記録した第１記録媒体および第２記録媒体と、
前記第１記録媒体に記録された前記分割ビデオデータを再生する第１システムと、
前記第２記録媒体に記録された前記分割ビデオデータを再生する第２システムと、
前記第１、第２記録媒体および前記第１、第２システムを制御することにより前記分割ビデオデータの再生を行うビデオ再生方法であって、
前記第１システムおよび前記第２システムのうちの一方のシステムで再生する分割ビデオデータから選択された静止画再生用ビデオデータを他方のシステムに伝送し、
前記一方のシステムで前記静止画用ビデオデータを再生させるとともに、前記他方のシステムが前記データ伝送部を介して受け取った前記静止画再生用ビデオデータを前記他方のシステムで再生させることにより、前記第１、第２システムの双方で同一の静止画用ビデオデータを同時に再生させる、
ことを特徴とするビデオ再生方法。
【発明の詳細な説明】
【技術分野】
【０００１】
本発明は、記録媒体にアクセスし、記録媒体に記録されているビデオデータを再生するビデオ再生方法および装置に関する。
【背景技術】
【０００２】
ハードディスク装置（ＨＤＤ）に対してビデオ信号（デジタルビデオデータ）を記録再生するビデオ記録再生装置（ハードディスクビデオレコーダ）がある。
このようなビデオ記録再生装置においては、扱うビデオ信号を、標準画質から高画質にする、画面分解能を標準からＨＤにする、フレームレートを標準から高フレームレートにする等により高性能にすると、それに伴いハードディスク装置に記録再生するデジタルビデオデータの量も増大し、より高速で連続したデジタルビデオデータの記録再生が必要となる。
こうした状況下で、デジタルビデオデータの記録再生を行うシステムの性能が追いつかない場合に、デジタルビデオデータの記録再生を行うシステムを２つ設け、ビデオ信号を２つに分割するとともに、分割した２つのビデオ信号を２つのシステムでそれぞれ記録再生することにより、言い換えると、２つのシステムを並列に動作させることにより、ビデオ記録再生装置全体での記録再生能力を上げる対応が考えられる。
こうした２つのシステムを並列に動作させて、ビデオ信号の特殊再生でスチル再生（静止画再生）を行う場合には、各システムでその時の映像フレームをそれぞれ連続して再生する事になる。
なお、スチル再生の方法としては、ハードディスク装置から読み出したＮフレームの映像情報をいったんバッファに保持させ、Ｎフレームの再生操作からバッファの中の１フレームのみの再生に移行してスチル再生を行う技術が提案されている（特許文献１参照）。
しかしながら、上記従来技術は、分割されたビデオデータを２つのシステムを用いて再生する構成に適用されるものではない。
【特許文献１】特開平１１−１３６６３６
【発明の開示】
【発明が解決しようとする課題】
【０００３】
上述したように２つのシステムを並列に動作させてスチル再生を行う場合には、各システムではそれぞれの映像を静止画として再生する事になる。
すなわち、２つのシステムは、スチル再生の動作が指令されることにより、共に同じフレームの画像を継続的に出し続けるが、２つのシステムがそれぞれ管理しているフレームデータが異なる為に、２つのシステム間で完全に同じ画像を出す事が出来ない。
その為に、２つのシステムから再生された２つのフレームの画像がディスプレイに供給されることで表示される静止画は、異なる２つのフレーム間を交互に再生した画像となり、交互にブレが含まれた画像となってしまい、静止画の品質を確保する上で不利がある。
本発明は、このような事情に鑑みてなされたものであり、その目的は、分割されたデジタルビデオデータを再生する場合においてスチル再生によって得られる画像の品質を確保する上で有利なビデオ再生方法および装置を提供することにある。
【課題を解決するための手段】
【０００４】
上記目的を達成するために本発明は、時系列的に連続するビデオデータを所定のデータ単位で分割して得られる複数の分割データを、順番に振り分けることで得られる分割ビデオデータをそれぞれ記録した第１記録媒体および第２記録媒体と、前記第１記録媒体に記録された前記分割ビデオデータを再生する第１システムと、前記第２記録媒体に記録された前記分割ビデオデータを再生する第２システムと、前記第１、第２記録媒体および前記第１、第２システムを制御することにより前記分割ビデオデータの再生を行う再生制御部とを備えるビデオ再生装置であって、前記第１システムおよび前記第２システムの間に、前記第１システムおよび前記第２システムのうちの一方のシステムで再生する分割ビデオデータから選択された静止画再生用ビデオデータを他方のシステムに伝送するビデオデータ伝送部を設け、前記再生制御部は、前記一方のシステムで前記静止画用ビデオデータを再生させるとともに、前記他方のシステムが前記データ伝送部を介して受け取った前記静止画再生用ビデオデータを前記他方のシステムで再生させることにより、前記第１、第２システムの双方で同一の静止画用ビデオデータを同時に再生させることを特徴とする。
また本発明は、時系列的に連続するビデオデータを所定のデータ単位で分割して得られる複数の分割データを、順番に振り分けることで得られる分割ビデオデータをそれぞれ記録した第１記録媒体および第２記録媒体と、前記第１記録媒体に記録された前記分割ビデオデータを再生する第１システムと、前記第２記録媒体に記録された前記分割ビデオデータを再生する第２システムと、前記第１、第２記録媒体および前記第１、第２システムを制御することにより前記分割ビデオデータの再生を行うビデオ再生方法であって、前記第１システムおよび前記第２システムのうちの一方のシステムで再生する分割ビデオデータから選択された静止画再生用ビデオデータを他方のシステムに伝送し、前記一方のシステムで前記静止画用ビデオデータを再生させるとともに、前記他方のシステムが前記データ伝送部を介して受け取った前記静止画再生用ビデオデータを前記他方のシステムで再生させることにより、前記第１、第２システムの双方で同一の静止画用ビデオデータを同時に再生させることを特徴とする。
【発明の効果】
【０００５】
本発明によれば、一方のシステムで静止画用ビデオデータを再生させるとともに、他方のシステムがビデオデータ伝送部を介して受け取った静止画再生用ビデオデータを他方のシステムで再生させることにより、第１、第２システムの双方で同一の静止画用ビデオデータを同時に再生させるので、ブレの無い画像でスチル再生することができ、分割されたデジタルビデオデータを再生する場合においてスチル再生によって得られる画像の品質を確保する上で有利となる。
【発明を実施するための最良の形態】
【０００６】
（第１の実施の形態）
次に、本発明の第１の実施の形態によるビデオ再生方法および装置について図面を参照して説明する。
以下では、説明の都合上、まず、ビデオ記録再生装置の基本構成について説明し、ついで、本発明の第１の実施の形態によるビデオ再生方法を実現するビデオ記録再生装置について詳細に説明する。
図１は、本発明の第１の実施の形態によるビデオ再生方法を実現するビデオ記録再生装置１０の機能ブロック図である。
【０００７】
図１はビデオ記録再生装置の基本構成を示す機能ブロック図である。
ビデオ記録再生装置１０は、第１システム１２Ａと、第１ハードディスク装置１４Ａ（特許請求の範囲の第１記録媒体に相当）と、第２システム１２Ａと、第２システム１２Ｂと、第２ハードディスク装置１４Ｂ（特許請求の範囲の第２記録媒体に相当）と、システムコントローラ１６（特許請求の範囲の再生制御部に相当）と、ビデオ同期回路１８と、ファイルシステム２０などを含んで構成されている。
【０００８】
第１システム１２Ａは、第１エンコーダバッファメモリ２２Ａと、第１デコーダバッファメモリ２４Ａ（特許請求の範囲の第１バッファメモリに相当）と、第１ビデオ記録再生部２６Ａとを含んで構成されている。
第１システム１２Ａは、後述するように第１ハードディスク装置１４Ａに記録された第１分割ビデオデータＶＳ１を再生するものである。
【０００９】
第１エンコーダバッファメモリ２２Ａは、システムコントローラ１６の制御下で後述する第１ストリームエンコーダ３０Ａから供給される圧縮された第１分割ビデオデータＶＳ１を蓄積して第１ハードディスク装置１４Ａに供給するものである。
第１エンコーダバッファメモリ２２Ａのバッファ量は、第１ストリームエンコーダ３０Ａから供給される圧縮された第１分割ビデオデータＶＳ１のデータ転送速度と、第１ハードディスク装置１４Ａの書き込み速度との差を吸収するに足る値に設定されている。
【００１０】
第１ハードディスク装置１４Ａは、第１エンコーダバッファメモリ２２Ａを介して供給される圧縮された第１分割ビデオデータＶＳ１を記録するものである。
【００１１】
第１デコーダバッファメモリ２４Ａは、システムコントローラ１６の制御下で第１ハードディスク装置１４Ａから供給される圧縮された第１分割ビデオデータＶＳ１を蓄積して後述する第１ストリームデコーダ３２Ａに供給するものである。
【００１２】
第１ビデオ記録再生部２６Ａは、第１ビデオ信号入力部２８Ａ、第１ストリームエンコーダ３０Ａ、第１ストリームデコーダ３２Ａ（特許請求の範囲の第１デコーダに相当）、第１ビデオ信号出力部３４Ａなどを含んで構成されている。
なお、図１には図示しないが、撮像装置などから供給される時系列的に連続するビデオデータを所定のデータ単位（本実施の形態では１画面分のビデオデータであるフレーム単位）に順番に（交互に）２つに振り分けるデータ分割回路が設けられている。
前記データ分割回路によって前記ビデオデータは、第１分割ビデオデータＶＳ１と第２分割ビデオデータＶＳ２とに分割され、第１分割ビデオデータＶＳ１は第１システム１２Ａの第１ビデオ信号入力部２８Ａに供給され、第２分割ビデオデータＶＳ２は第２システム１２Ｂの後述する第２ビデオ信号入力部２８Ｂに供給される。
また、図１には図示しないが、後述する第１、第２ビデオ記録再生部２６Ａ、２６Ｂから前記所定のデータ単位（本実施の形態ではフレーム単位）で出力される第１分割ビデオデータＶＳ１と第２分割ビデオデータＶＳ２とを順番に（交互に）組み合わせることで１つのビデオデータとするデータ合成回路が設けられている。
前記データ合成回路からビデオデータがディスプレイ装置などに供給されることで映像が表示される。
【００１３】
第１ビデオ信号入力部２８Ａは、第１分割ビデオデータＶＳ１を入力するための回路である。
第１ストリームエンコーダ３０Ａは、システムコントローラ１６の制御下で、入力された第１分割ビデオデータＶＳ１に対してコーデックを行い、第１分割ビデオデータＶＳ１の圧縮を行う回路である。本実施の形態では、第１ストリームエンコーダ３０Ａは例えばＪＰＥＧ形式によって第１分割ビデオデータＶＳ１を圧縮する。
【００１４】
第１ストリームデコーダ３２Ａは、システムコントローラ１６の制御下で第１ハードディスク装置１４Ａから読み出された第１圧縮分割ビデオデータを伸長しデコードする回路である。本実施の形態では、第１ストリームデコーダ３２Ａは例えばＪＰＥＧ形式によって圧縮された第１分割ビデオデータＶＳ１を伸張する。
ビデオ信号出力部２８Ａは、デコードされたビデオデータに同期信号などを付加し第１ビデオ信号入力部２８Ａに入力された第１分割ビデオデータＶＳ１と同様の波形にして出力する。
【００１５】
第２システム１２Ｂは、第２エンコーダバッファメモリ２２Ｂと、第２デコーダバッファメモリ２４Ｂ（特許請求の範囲の第２バッファメモリに相当）と、第２ビデオ記録再生部２６Ｂを含んで構成されている。
第２システム１２Ｂは、後述するように第２ハードディスク装置１４Ｂに記録された第２分割ビデオデータＶＳ２を再生するものである。
【００１６】
第２エンコーダバッファメモリ２２Ｂは、システムコントローラ１６の制御下で後述する第２ストリームエンコーダ３０Ｂから供給される圧縮された第２分割ビデオデータＶＳ２を蓄積して第２ハードディスク装置１４Ｂに供給するものである。
第２エンコーダバッファメモリ２２Ｂのバッファ量は、第２ストリームエンコーダ３０Ｂから供給される圧縮された第２分割ビデオデータＶＳ２のデータ転送速度と、第２ハードディスク装置１４Ｂの書き込み速度との差を吸収するに足る値に設定されている。
【００１７】
第２ハードディスク装置１４Ｂは、第２エンコーダバッファメモリ２２Ｂを介して供給される圧縮された第２分割ビデオデータＶＳ２を記録する。
【００１８】
第２デコーダバッファメモリ２４Ｂは、システムコントローラ１６の制御下で第２ハードディスク装置１４Ｂから供給される圧縮された第２分割ビデオデータＶＳ２を蓄積して後述する第２ストリームデコーダ３２Ｂに供給するものである。
【００１９】
第２ビデオ記録再生部２６Ｂは、第２ビデオ信号入力部２８Ｂ、第２ストリームエンコーダ３０Ｂ、第２ストリームデコーダ３２Ｂ、第２ビデオ信号出力部３４Ｂなどを含んで構成されている。
【００２０】
第２ビデオ信号入力部２８Ｂは、第２分割ビデオデータＶＳ２を入力するための回路である。
第２ストリームエンコーダ３０Ｂは、システムコントローラ１６の制御下で、入力された第２分割ビデオデータＶＳ２に対してコーデックを行い、第２分割ビデオデータＶＳ２の圧縮を行う回路である。本実施の形態では、第２ストリームエンコーダ３０Ｂは例えばＪＰＥＧ形式によって第２分割ビデオデータＶＳ２を圧縮する。
【００２１】
第２ストリームデコーダ３２Ｂは、システムコントローラ１６の制御下で第２ハードディスク装置１４Ｂから読み出された圧縮された第２分割ビデオデータＶＳ２を伸長しデコードする回路である。本実施の形態では、第２ストリームデコーダ３２Ｂは例えばＪＰＥＧ形式によって圧縮された第２分割ビデオデータＶＳ２を伸張する。
第２ビデオ信号出力部３４Ｂは、デコードされたビデオデータに同期信号などを付加し第２ビデオ信号入力部２８Ｂに入力された第２分割ビデオデータＶＳ２と同様の波形にして出力する。
【００２２】
ビデオ同期回路１８は、入力された第１、第２分割ビデオデータＶＳ１、ＶＳ２に同期をとり、第１、第２ビデオ記録再生部２６Ａ、２６Ｂの各部で必要な垂直同期信号、水平同期信号、クロック信号を含む各種信号を生成し第１、第２ビデオ記録再生部２６Ａ、２６Ｂの各部に供給する回路である。
【００２３】
システムコントローラ１６は、ハードウェアとしてのコンピュータを含んで構成されるものであり、ＯＳ（Operating System）の管理下において各部の制御を行うものである。
より詳細には、システムコントローラ１６は、所定のアプリケーションソフトがＯＳを介して各部を制御することで実現されるものであり、例えば、システムコントローラ１６は、ビデオ同期回路１８、第１、第２ストリームエンコーダ３０Ａ、３０Ｂ、第１、第２ストリームデコーダ３２Ａ、３２Ｂ、第１、第２デコーダバッファメモリ２４Ａ、２４Ｂの動作の開始や停止を指令するものである。
【００２４】
ファイルシステム２０は、システムコントローラ１６（ＯＳ）の管理下で動作するものであり、第１、第２ハードディスク装置１４Ａ、１４Ｂを管理下に置き、圧縮された第１、第２分割ビデオデータＶＳ１、ＶＳ２を第１、第２ハードディスク装置１４Ａ、１４Ｂに記録する際のファイル管理などを行う。
【００２５】
本実施の形態では、第１システム１２Ａ内に、第１記録再生部２６Ａが設けられており、第２システム１２Ｂ内に、第２記録再生部２６Ｂが設けられている構成である。
したがって、システムコントローラ１６に特殊再生を実行する旨の指令が与えられると、その指令を受け付けたシステムコントローラ１６が該システムコントローラ１６の制御下にある第１、第２記録再生部２６Ａ、２６Ｂ（の各部）に対して前記指令に対応した動作を行わせるための制御情報（制御信号、制御コマンド）を供給する。
【００２６】
次にビデオ記録再生装置１０の基本的な動作について説明する。
ビデオ信号の記録時には、第１、第２分割ビデオデータＶＳ１、ＶＳ２が第１、第２ビデオ信号入力部２８Ａ、２８Ｂに入力される。そして、さらにビデオ同期回路１８において、第１、第２ビデオ信号入力部２８Ａ、２８Ｂに入力された第１、第２分割ビデオデータＶＳ１、ＶＳ２に同期をとることで次のブロックで必要な垂直同期信号、水平同期信号、クロック信号を含む各種信号を生成する。
次の第１、第２ストリームエンコーダ３０Ａ、３０Ｂでは、入力された第１、第２分割ビデオデータＶＳ１、ＶＳ２に対してコーデックを行いビデオデータの圧縮を行う。
ＯＳ管理下のファイルシステム２０は、第１、第２ストリームエンコーダ３０Ａ、３０Ｂで圧縮された第１、第２分割ビデオデータＶＳ１、ＶＳ２を第１、第２エンコーダバッファメモリ２２Ａ、２２Ｂを介して第１、第２ハードディスク装置１４Ａ、１４Ｂにそれぞれ記録する。
【００２７】
ビデオ信号の再生時には、ＯＳ管理下のファイルシステム２０が、記録された第１、第２分割ビデオデータＶＳ１、ＶＳ２ＶＳ２を第１、第２ハードディスク装置１４Ａ、１４Ｂから読み出す。読み出された第１、第２分割ビデオデータＶＳ１、ＶＳ２は、第１、第２デコーダバッファメモリ２４Ａ、２４Ｂを介して第１、第２ストリームデコーダ３２Ａ、３２Ｂでデコードされ、第１、第２ビデオ信号出力部２８Ａ、２８Ｂに送られる。
第１、第２ビデオ信号出力部２４では、デコードされた第１、第２分割ビデオデータＶＳ１、ＶＳ２にビデオ同期回路１８において生成した同期信号等を付加し第１、第２ビデオ信号入力部２８Ａ、２８Ｂに入力された第１、第２分割ビデオデータＶＳ１、ＶＳ２と同様の波形にして出力する。
すなわち、上述したビデオデータのハードディスク装置１４Ａ、１４Ｂへの記録や読み出しに関わる一連の動作はＯＳ管理下のファイルシステム２０が各部を制御することによってなされており、また、ファイルシステム２０は、ハードディスク装置１４Ａ、１４Ｂに記録したビデオデータのファイルを管理している。
【００２８】
次に第１、第２分割ビデオデータＶＳ１、ＶＳ２の並列処理について説明する。
図２（Ａ）は分割前のビデオデータの説明図、（Ｂ）は分割後の第１、第２分割ビデオデータＶＳ１、ＶＳ２の説明図である。
図２（Ａ）に示すように、撮像装置などからビデオ記録再生装置１０に供給されるビデオデータＶＳは、所定のデータ単位であるフレーム単位で時系列的に連続している。
図中、１、２、３、……、２８、２９、３０、……はフレームの順番を示すフレーム番号である。
図２（Ｂ）に示すように、前述したデータ分割回路によってビデオデータＶＳはフレーム単位に順番に（交互に）２つに振り分けられることで、第１、第２分割ビデオデータＶＳ１、ＶＳ２が生成される。
すなわち、第１ビデオデータＶＳ１を構成するフレームは、フレーム番号１、３、５、……となり、第２ビデオデータＶＳ２を構成するフレームは、フレーム番号２、４、６、……となる。
言い換えると、第１ビデオデータＶＳ１は奇数フレームで構成され、第２ビデオデータＶＳ２は偶数フレームで構成される。
【００２９】
そして、通常の再生動作においては、図２（Ｂ）に示すように、第１、第２ハードディスク装置１４Ａ、１４Ｂから第１、第２分割ビデオデータＶＳ１、ＶＳ２がフレーム単位で同期して読み出されることにより、前述したようにデータ合成回路によって第１、第２分割ビデオデータＶＳ１、ＶＳ２が合成されビデオデータＶＳが生成される。
【００３０】
次に、トリックプレイの中のスチル再生（静止画再生）の原理について説明する。
図２（Ｃ）はスチル再生（静止画再生）の説明図である。
図２（Ｃ）では、第１分割ビデオデータＶＳ１のフレーム１、３、５、７、９・・・と、第２分割ビデオデータＶＳ２のフレーム２、４、６、８、１０・・・の二つのストリーム信号を順に再生していき、フレーム２９のビデオデータ位置からスチル再生を行っている様子を示した。なお、図中、Still Read Startは、第１、第２デコーダバッファメモリ２４Ａ、２４Ｂから読み出されるフレームの位置２９、３０をそれぞれ示している。
【００３１】
フレーム１、２、３、４、５、６、７、・・・、２８と順に再生して、第１分割ビデオデータＶＳ１のフレーム２９の位置からスチル再生を開始すると、第１システム１２Ａからは、フレーム２９、２９、２９、・・・と連続したビデオストリームデータが再生され、第２分割ビデオデータＶＳ２のフレーム３０の位置からスチル再生を開始すると、第２システム１２Ｂからはフレーム３０、３０、３０、・・・と連続したビデオストリームデータが再生される。
これを記録再生装置１０に接続されたディスプレイ装置の表示画面で見た場合、フレームとしてフレーム１、２、３、４、５、６、７、・・・、２８と順に再生してきて、スチル再生操作に入ってフレーム２９、３０、２９、３０、２９、３０・・・と２９と３０のフレームの交互表示となる。
この場合、ディスプレイ装置の表示画面に見られるスチル再生画像は、フレーム２９とフレーム３０のフレーム間に差分（映像としての差分）が存在する分、ブレのある画像となってしまうことになり、表示される静止画の品質を確保する上で問題となってしまう。
そこで本発明は、第１、第２システム１２Ａ、１２Ｂの双方で同一のフレームを再生することにより、静止画のブレを回避するようにしたものである。
【００３２】
図３は、第１の実施の形態の記録再生装置１０の構成を示すブロック図である。
以下では、図１と同一の部分については同一の符号を付してその説明を省略し、相違する部分についてのみ説明する。
図３に示すように、第１システム１２Ａと第２システム１２Ｂとの間に第１、第２分割ビデオデータＶＳ１、ＶＳ２を伝送するビデオデータ伝送部４０が設けられている。
ビデオデータ伝送部４０は、第１システム１２Ａおよび第２システム１２Ｂのうちの一方のシステムで再生する分割ビデオデータから選択された静止画再生用ビデオデータを他方のシステムに伝送するものである。
本実施の形態では、ビデオデータ伝送部４０は、第１信号線４２Ａと第２信号線４２Ｂとを含んで構成されている。
【００３３】
第１信号線４２Ａは、第２システム１２Ｂの第２デコーダバッファメモリ２４Ｂの出力端と第１システム１２Ａの第１ストリームデコーダ３２Ａの入力端とを接続し、第２デコーダバッファメモリ２４Ｂから出力される第２分割ビデオデータＶＳ２から選択された静止画用ビデオデータを第１ストリームデコーダ３２Ａに供給するものである。
第２信号線４２Ｂは、第１システム１２Ａの第１デコーダバッファメモリ２４Ａの出力端と第２システム１２Ｂの第２ストリームデコーダ３２Ｂの入力端とを接続し、第１デコーダバッファメモリ２４Ａから出力される第１分割ビデオデータＶＳ１から選択された静止画用ビデオデータを第２ストリームデコーダ３２Ａに供給するものである。
【００３４】
また、本実施の形態では、第１ストリームデコーダ３２Ａは、第１デコーダバッファメモリ２４Ａから供給される第１分割ビデオデータＶＳ１と、第２デコーダバッファメモリ２４Ｂから第１信号線４２Ａを介して供給される静止画用ビデオデータ（第２分割ビデオデータＶＳ２）とを切り換えて入力する機能を有しており、この切り換えは、システムコントローラ１６から供給される制御情報（制御信号）によって制御される。
また、第２ストリームデコーダ３２Ｂは、第２デコーダバッファメモリ２４Ｂから供給される第２分割ビデオデータＶＳ２と、第１デコーダバッファメモリ２４Ａから第２信号線４２Ｂを介して供給される静止画用ビデオデータ（第１分割ビデオデータＶＳ１）とを切り換えて入力する機能を有しており、この切り換えは、システムコントローラ１６から供給される制御情報（制御信号）によって制御される。
【００３５】
また、第１システム１２Ａと第２システム１２Ｂとは、例えば、異なるプリント配線基板に設けられており、それらプリント配線基板の間がビデオデータ伝送部４０を構成する第１、第２信号線４２Ａ、４２Ｂで接続されている。
ビデオデータ伝送部４０のインターフェース（第１、第２信号線４２Ａ、４２Ｂのインターフェース）としては、耐ノイズ性を確保する上で、また、設計の容易化を図る上で、データ伝送を行うための標準的な仕様の従来公知のさまざまなインターフェースが採用可能である。
【００３６】
システムコントローラ１６は、第１、第２システム１２Ａ、１２Ｂのうち一方のシステムで静止画用ビデオデータを再生させるとともに、一方のシステムからビデオデータ伝送部４０を介して第１、第２システム１２Ａ、１２Ｂのうち他方のシステムに伝送された静止画再生用ビデオデータを他方のシステムで再生させることにより、第１、第２システム１２Ａ、１２Ｂの双方で同一の静止画用ビデオデータを同時に再生させるように構成されている。
すなわち、ビデオ記録再生装置１０の操作部材をユーザーが操作することによりシステムコントローラ３４にスチル再生動作を指示する指令が与えられと、システムコントローラ１６は、第１システム１２Ａ内の各部にスチル再生動作を実行するために必要な制御情報を与えるとともに、第２システム１２Ｂ内の各部にスチル再生動作を実行するために必要な制御情報を与えるように構成されている。
【００３７】
次にスチル再生動作について説明する。
図４は第１の実施の形態における再生動作、スチル再生動作の説明図であり、（Ａ）は再生動作時における第１、第２ビデオデータＶＳ１、ＶＳ２の並列処理を示す説明図、（Ｂ）、（Ｃ）はスチル動作に切り換えられた場合の処理を示す説明図である。
【００３８】
図４（Ａ）に示すように、再生動作においては、一つのストリームのビデオデータＶＳが、並列システムを構成する第１、第２のシステム１２Ａ、１２Ｂによって第１、第２分割ビデオデータＶＳ１、ＶＳ２の２つのストリームビデオ信号に分割処理されている。
すなわち、ビデオデータＶＳを構成するフレーム１、２、３、４、５、６、７、８、９、１０・・・と順に並んだ一つのストリーム信号が並列処理用に分割され、第１分割ビデオデータＶＳ１のフレーム１、３、５、７、９・・・と、第２分割ビデオデータＶＳ２のフレーム２、４、６、８、１０・・・との二つのストリーム信号に分割構成されている。
トリック再生のスチル再生（静止画）を行った場合に、第１ストリームデコーダ３２Ａは、システムコントローラ１６の制御により、第１デコーダバッファメモリ２４Ａから供給される第１分割ビデオデータＶＳ１と、ビデオデータ伝送部４０（第１信号線４２Ａ）を介して第２デコーダバッファメモリ２４Ｂから供給される第２分割ビデオデータＶＳ２とを切り換えて使用する。
あるいは、第２ストリームデコーダ３２Ｂは、システムコントローラ１６の制御により、第２デコーダバッファメモリ２４Ｂから供給される第２分割ビデオデータＶＳ２と、ビデオデータ伝送部４０（第２信号線４２Ｂ）を介して第１デコーダバッファメモリ２４Ａから供給される第１分割ビデオデータＶＳ１とを切り換えて使用する。
すなわち、トリック再生のスチル再生（静止画）を行う際には、新たに設けたビデオデータ伝送部４０を利用して、片方のシステムのスチル再生させるフレーム画像をもう片方のシステムに送ることによって、二つのシステムで同一のスチル再生させたいフレーム画像を共有する。
【００３９】
そして、図４（Ａ）に示すように、ビデオ信号ＶＳが第１、第２分割ビデオ信号ＶＳ１、ＶＳ２にストリーム分割された構成で、トリック再生のスチル再生（静止画）を行った場合のビデオデータの処理を、図４（Ｂ）、（Ｃ）に示す。
図４（Ｂ）に示すように、第１分割ビデオ信号ＶＳ１を構成するフレーム１、３、５、７、９・・・と第２分割ビデオ信号ＶＳ１を構成するフレーム２、４、６、８、１０・・・の二つのストリーム信号を順に再生していき、第１分割ビデオ信号ＶＳ１を構成するフレーム２９、すなわち、第１分割ビデオ信号ＶＳ１から選択された静止画再生用ビデオデータのビデオデータ位置からスチル再生を行う。
すなわち、フレーム１、２、３、４、５、６、７、・・・、２８と順に再生して、第１分割ビデオ信号ＶＳ１を構成するフレーム２９の位置からスチル再生を開始すると、一方のシステム（第１システム１２Ａ）によって、フレーム２９、２９、２９、・・・と連続したビデオストリームデータを再生し、それと同時に静止画再生用ビデオデータであるフレーム２９を第２信号線４２Ｂを介してもう一方のシステム（第２システム１２Ｂ）にコピーし（伝送し）、もう一方のシステム（第２システム１２Ｂ）からのビデオデータも、フレーム２９、２９、２９、・・・と連続した、同じビデオストリームデータを出力する。
【００４０】
図４（Ｃ）では、第１分割ビデオ信号ＶＳ１を構成するフレーム１、３、５、７、９・・・と第２分割ビデオ信号ＶＳ１を構成するフレーム２、４、６、８、１０・・・の二つのストリーム信号を順に再生していき、第２分割ビデオ信号ＶＳ２を構成するフレーム３０、すなわち、第１分割ビデオ信号ＶＳ１から選択された静止画再生用ビデオデータのビデオデータ位置からスチル再生を行っている様子を示した。
すなわち、フレーム１、２、３、４、５、６、７、・・・、２８と順に再生して、第２分割ビデオ信号ＶＳ２を構成するフレーム３０の位置からスチル再生を開始すると、一方のシステム（第２システム１２Ｂ）によって、フレーム３０、３０、３０、・・・と連続したビデオストリームデータを再生し、それと同時に静止画再生用ビデオデータであるフレーム３０を第１信号線４２Ａを介してもう一方のシステム（第１システム１２Ａ）にコピーし（伝送し）、もう一方のシステム（第１システム１２Ａ）からのビデオデータも、フレーム３０、３０、３０、と連続した、同じビデオストリームデータを出力する。
【００４１】
以上の動作を言い換えると、システムコントローラ１６は、第１、第２システム１２Ａ、１２Ｂ、ビデオデータ伝送部４０を制御することによって、一方のシステムで静止画用ビデオデータを再生させるとともに、他方のシステムがビデオデータ伝送部４０を介して受け取った静止画再生用ビデオデータを他方のシステムで再生させることにより、第１、第２システムの双方で同一の静止画用ビデオデータを同時に再生させている。
【００４２】
本実施の形態によれば、トリック再生のスチル再生（静止画）を開始すると、始めにスチル再生する画像を他方のシステムにも送り出し、同一スチル再生画像でスチル再生する為に、ブレの無い画像でスチル再生することができ、分割されたデジタルビデオデータを再生する場合においてスチル再生によって得られる画像の品質を確保する上で有利となる。
【００４３】
また、本実施の形態では、一方のシステムから他方のシステムに静止画再生用ビデオデータを伝送するビデオデータ伝送部４０は、静止画再生用ビデオデータを伝送する簡素な構成でよいため、例えば、第１、第２システム１２Ａ、１２Ｂの間に第１、第２信号線４２Ａ、４２Ｂを追加するだけでビデオデータ伝送部４０を構成でき、構成の簡素化および低コスト化を図る上で有利となる。
【００４４】
（第２の実施の形態）
次に第２の実施の形態について説明する。
第１の実施の形態では、スチル再生動作に際して、第１、第２システム１２Ａ、１２Ｂの双方において同一の静止画再生用ビデオデータの再生が同時になされるものであったのに対し、第２の実施の形態では、データ伝送路４０による静止画再生用ビデオデータの伝送に多少の遅延時間が発生することにより、第１、第２システム１２Ａ、１２Ｂによる静止画再生用ビデオデータの再生に多少のずれが生じる構成について説明する。
【００４５】
図５は第２の実施の形態における再生動作、スチル再生動作の説明図であり、（Ａ）は再生動作時における第１、第２ビデオデータＶＳ１、ＶＳ２の並列処理を示す説明図、（Ｂ）、（Ｃ）はスチル動作に切り換えられた場合の処理を示す説明図である。なお、以下の実施の形態において同一の部分には同一の符号を付して簡単に説明する。
【００４６】
図３を流用してビデオ記録再生装置１０の構成について説明する。
第２の実施の形態において第１の実施の形態と相違するのは、ビデオデータ伝送部４０を構成する第１、第２信号線４２Ａ、４２Ｂのインターフェースが、例えば、ＵＡＲＴ（Universal Asynchronous Receiver Transmitter:非同期シリアルインターフェース）、あるいは、イーサネット（登録商標）等の遅延時間のある信号ラインで接続している点である。
【００４７】
図５（Ａ）に示すように、再生動作においては、第１の実施の形態の場合（図４（Ａ））と同様に、一つのストリームのビデオデータＶＳが、並列システムを構成する第１、第２のシステム１２Ａ、１２Ｂによって第１、第２分割ビデオデータＶＳ１、ＶＳ２の２つのストリームビデオ信号に分割処理されている。
【００４８】
そして、図５（Ａ）に示すように、ビデオ信号ＶＳが第１、第２分割ビデオ信号ＶＳ１、ＶＳ２にストリーム分割された構成で、トリック再生のスチル再生（静止画）を行った場合のビデオデータの処理を、図５（Ｂ）、（Ｃ）に示す。
図５（Ｂ）に示すように、第１分割ビデオ信号ＶＳ１を構成するフレーム１、３、５、７、９・・・と第２分割ビデオ信号ＶＳ１を構成するフレーム２、４、６、８、１０・・・の二つのストリーム信号を順に再生していき、第１分割ビデオ信号ＶＳ１を構成するフレーム２９、すなわち、第１分割ビデオ信号ＶＳ１から選択された静止画再生用ビデオデータのビデオデータ位置からスチル再生を行う。
すなわち、フレーム１、２、３、４、５、６、７、・・・、２８と順に再生して、第１分割ビデオ信号ＶＳ１を構成するフレーム２９の位置からスチル再生を開始すると、一方のシステム（第１システム１２Ａ）によって、フレーム２９、２９、２９、・・・と連続したビデオストリームデータを再生し、静止画再生用ビデオデータであるフレーム２９をデータ伝送に際して遅延時間を有する第２信号線４２Ｂを介してもう一方のシステム（第２システム１２Ｂ）にコピーし（伝送し）、もう一方のシステム（第２システム１２Ｂ）からのビデオデータも、フレーム２９、２９、２９、・・・と連続した、同じビデオストリームデータを出力する。
【００４９】
この場合、第２信号線４２Ｂに遅延があるために、第１、第２システム１２Ａ、１２Ｂの双方で直ちに（同時に）同一のスチル再生させたいフレーム画像（静止画再生用ビデオデータであるフレーム２９）を共有することは出来ない。
従って、第１システム１２Ａから第２システム１２Ｂに第２の信号線４２Ｂを介して伝送されたフレーム２９が第２システム１２Ｂで受け付けられて再生されるまでは、第１システム１２Ａではフレーム２９をスチル再生画像として再生し、第２システム１２Ｂでは、フレーム２９よりも時間的に前に位置するフレーム３０をスチル再生画像として再生し、第１、第２システム１２Ａ、１２Ｂの双方で同一のスチル再生させたいフレーム画像（フレーム２９）を共有できるようになった時点で（フレーム２９が第２システム１２Ｂで受け付けられて再生される時点で）同一のスチル再生画面に移行するようにする。
【００５０】
図５（Ｃ）に示すように、第１分割ビデオ信号ＶＳ１を構成するフレーム１、３、５、７、９・・・と第２分割ビデオ信号ＶＳ１を構成するフレーム２、４、６、８、１０・・・の二つのストリーム信号を順に再生していき、第２分割ビデオ信号ＶＳ２を構成するフレーム３０、すなわち、第２分割ビデオ信号ＶＳ１から選択された静止画再生用ビデオデータのビデオデータ位置からスチル再生を行う。
すなわち、フレーム１、２、３、４、５、６、７、・・・、２８と順に再生して、第２分割ビデオ信号ＶＳ２を構成するフレーム３０の位置からスチル再生を開始すると、一方のシステム（第２システム１２Ｂ）によって、フレーム３０、３０、３０、・・・と連続したビデオストリームデータを再生し、静止画再生用ビデオデータであるフレーム３０をデータ伝送に際して遅延時間を有する第１信号線４２Ａを介してもう一方のシステム（第１システム１２Ａ）にコピーし（伝送し）、もう一方のシステム（第１システム１２Ａ）からのビデオデータも、フレーム３０、３０、３０、・・・と連続した、同じビデオストリームデータを出力する。
【００５１】
この場合、第１信号線４２Ａに遅延があるために、第１、第２システム１２Ａ、１２Ｂの双方で直ちに（同時に）同一のスチル再生させたいフレーム画像（静止画再生用ビデオデータであるフレーム３０）を共有することは出来ない。
従って、第２システム１２Ｂから第１システム１２Ａに第１の信号線４２Ａを介して伝送されたフレーム３０が第１システム１２Ａで受け付けられて再生されるまでは、第２システム１２Ｂではフレーム３０をスチル再生画像として再生し、第１システム１２Ａでは、フレーム３０よりも時間的に前に位置するフレーム２９をスチル再生画像として再生し、第１、第２システム１２Ａ、１２Ｂの双方で同一のスチル再生させたいフレーム画像（フレーム３０）を共有できるようになった時点で（フレーム３０が第１システム１２Ａで受け付けられて再生される時点で）同一のスチル再生画面に移行するようにする。
【００５２】
上述したように、第２の実施の形態では、第１、第２システム１２Ａ、１２Ｂの間で静止画再生用ビデオデータを伝送するビデオデータ伝送部４０が遅延時間を有しているために、スチル再生動作が実行された際、ごく短時間の間、第１、第２システム１２Ａ、１２Ｂで再生される静止画再生成用ビデオデータが同一ではなく、異なる２つのフレームが交互に再生される状態となる。
しかしながら、第１、第２分割ビデオデータＶＳ１，ＶＳ２が例えば６０フレーム／secで構成されている場合、１フレーム当たりの表示時間は１６．６msecとなる。
したがって、ビデオデータ伝送部４０の遅延時間が数フレーム分あったとしても、異なるフレームが交互に表示される時間はごく短時間であり、異なるフレームが表示されたとしても視覚的に画像のブレが認識されることはないものである。
例えば、図５（Ｂ）、（Ｃ）に示すように、４フレーム分、異なる２つのフレームが交互に表示されたとしても、その時間は、せいぜい６６．４msecとごく短時間であり、視覚的に認識される画像のブレは無視できる程度である。
【００５３】
第２の実施の形態によれば、第１の実施の形態と同様の効果が奏されることは無論のこと、第１、第２システム１２Ａ、１２Ｂの間で静止画再生用ビデオデータを伝送するビデオデータ伝送部４０が遅延時間を有していても、遅延時間内はブレがあるが、スチル再生画面を視覚的にみて静止するのを確認するのに比べて遅延時間がごく短いために、遅延時間分のズレは許容範囲内で、視覚的にはブレの無い画像でスチル再生することが出来る。
また、トリック再生のスチル再生（静止画）操作でブレのないスチル再生画像を得るのに、視覚的にブレが目立たずにブレの無いスチル再生画像を得ることができれば、ビデオデータ伝送部４０が多少の遅延時間を有していてもよく、言い換えると、ビデオデータ伝送部４０としてデータ伝送速度が高速で高価なものを用意する必要が無く、したがって、ビデオデータ伝送部４０を安価に構成することができ、低コスト化を図る上でより一層有利となる。
【００５４】
なお、実施の形態では、ビデオデータがＪＰＥＧ形式で圧縮される場合について説明したが、ビデオデータの圧縮形式は従来公知のさまざまな圧縮形式が採用可能である。
例えば、圧縮形式としてＭＰＥＧ２を用いてもよく、その場合には、ビデオデータの所定のデータ単位として、フレームの代わりにＧＯＰ（Group Of Picture）を用いればよい。
また、デジタルビデオデータが圧縮されていない非圧縮のデジタルビデオデータであっても本発明は無論適用される。
【００５５】
また、実施の形態では、本発明がビデオデータの記録および再生を行うビデオ記録再生装置１０に適用された場合について説明したが、本発明はビデオデータの再生のみを行うビデオ再生装置および再生方法に適用可能である。
【００５６】
また、実施の形態では、第１、第２記録媒体としてハードディスク装置を用いた場合について説明したが、第１、第２記録媒体はハードディスク装置に限定されるものではなく、本発明は、ディスク状記録媒体、例えば、ＣＤ−ＲＷ、ＤＶＤ−ＲＷなどの記録媒体、あるいは、フラッシュメモリなどの半導体メモリからビデオデータを再生するビデオ再生方法およびビデオ再生装置に広く適用可能である。
また、実施の形態では、第１、第２記録媒体の２つの記録媒体を用いた構成について説明したが、本発明は３つ以上の記録媒体を用いた場合にも無論適用可能である。
【図面の簡単な説明】
【００５７】
【図１】本発明の第１の実施の形態によるビデオ再生方法を実現するビデオ記録再生装置１０の機能ブロック図である。
【図２】（Ａ）は分割前のビデオデータの説明図、（Ｂ）は分割後の第１、第２分割ビデオデータＶＳ１、ＶＳ２の説明図、（Ｃ）はスチル再生（静止画再生）の説明図である。
【図３】第１の実施の形態の記録再生装置１０の構成を示すブロック図である。
【図４】第１の実施の形態における再生動作、スチル再生動作の説明図であり、（Ａ）は再生動作時における第１、第２ビデオデータＶＳ１、ＶＳ２の並列処理を示す説明図、（Ｂ）、（Ｃ）はスチル動作に切り換えられた場合の処理を示す説明図である。
【図５】第２の実施の形態における再生動作、スチル再生動作の説明図であり、（Ａ）は再生動作時における第１、第２ビデオデータＶＳ１、ＶＳ２の並列処理を示す説明図、（Ｂ）、（Ｃ）はスチル動作に切り換えられた場合の処理を示す説明図である。
【符号の説明】
【００５８】
１０……ビデオ記録再生装置、１２Ａ……第１システム、１２Ｂ……第２システム、１４Ａ……第１ハードディスク装置、１４Ｂ……第２ハードディスク装置、１６……システムコントローラ、４０……ビデオデータ伝送部。
【図１】
2009044392.tif 000003
【図２】
2009044392.tif 000004
【図３】
2009044392.tif 000005
【図４】
2009044392.tif 000006
【図５】
2009044392.tif 000007